(57)【要約】【課題】簡単な構成で既存の車椅子を初めとする各種椅子に容易に装着することができ汎用性に優れ、片麻痺等の疾病のために自力で上肢を保持することが困難な患者の上肢を安定に保持、固定することができ信頼性に優れ、使用者の体格、使い方に合わせて長さや水平面内での取付角度を容易に調整することにより、楽な姿勢で使用することができ、首、肩、腕等の負担や肩関節の拘縮を軽減でき、座位姿勢の改善に有効な汎用性、機能性に優れる着脱式肘掛の提供。【解決手段】既存の椅子の肘掛又は本体フレームに着脱自在に配設される固定部と、固定部に配設された回動軸と、回動軸に挿通固定され固定部に対し水平面内で回動するアームレスト部と、を備えている。【選択図】図１
2006101936.tif 000002
【特許請求の範囲】
【請求項１】
既存の椅子の肘掛又は本体フレームに着脱自在に配設される固定部と、前記固定部に配設された回動軸と、前記回動軸に挿通固定され前記固定部に対し水平面内で回動するアームレスト部と、を備えていることを特徴とする着脱式肘掛。
【請求項２】
前記アームレスト部の先端側に摺動自在に配設された伸縮部と、前記伸縮部に配設された摺動支持部と、を備えていることを特徴とする請求項１に記載の着脱式肘掛。
【請求項３】
前記アームレスト部及び／又は前記摺動支持部に形成又は配設され前記アームレスト部の回動位置及び／又は前記摺動支持部の伸縮位置を調整するための操作用把持部を備えていることを特徴とする請求項１又は２に記載の着脱式肘掛。
【発明の詳細な説明】
【技術分野】
【０００１】
本発明は、車椅子を初めとする各種椅子に装着することにより、片麻痺等の疾病のために自力で上肢を保持することが困難な患者の上肢を保持、固定することが可能な着脱式肘掛に関する。
【背景技術】
【０００２】
片麻痺の患者に対し肩関節の脱臼を防止するため、主に三角巾を用いて麻痺側の上肢を首から吊って固定する方法が用いられている。しかし、この方法では肩関節の拘縮（内転、内旋等）が発生し易く、首への負担も大きい。
特に、片麻痺患者の移動手段として多用される車椅子上で、肩関節を支持し、首や肩、腕等の負担軽減を図り、座位姿勢の崩れを防止することが望まれていた。
例えば（特許文献１）には、高齢者などが流し台等で炊事作業をする際、体重の一部が腕や肘に集中的に加重されるのを防ぎ、車椅子の肘掛などに利用できるものとして「使用者の腕を載せる略円弧状のアームレストと、アームレストに一体化されたボールを支持するための孔部を有する逆Ｌ字状の支持部材と、支持部材と組合わせて外部のベースに固定するための逆Ｌ字状のストッパーとから構成されている自助具」が開示されている。
（特許文献２）には、「アームレストの長方形本体が上下動、水平面内回動可能に装着されてなる回転椅子」が開示されている。
（特許文献３）には、「着脱および上下左右の回動を可能とした車椅子のアームレスト」が開示されている。
【特許文献１】特開２００１−１６９９６９号公報
【特許文献２】実開平２−２６５４５号公報
【特許文献３】実開平３−４７６１７号公報
【発明の開示】
【発明が解決しようとする課題】
【０００３】
しかしながら上記従来の技術では、以下のような課題を有していた。
（１）（特許文献１）の自助具は、車椅子の肘掛としても利用できるが、アームレストが一つのボールで支持されているため、自助具の内転、内旋等が発生し易く、片麻痺の患者の腕を安定して保持する用途には不向きであるという課題を有していた。
（２）（特許文献２）の回転椅子は、アームレストを複数の調整溝が形成された支柱により支持し、調整溝を選択して調整ねじで固定することにより高さ及び角度調整するものであり、支柱が挿通されるアームレスト保持アームを必要とし、既存の車椅子等に着脱することができず、汎用性に欠けるという課題を有していた。
（３）（特許文献３）の車椅子のアームレストは、レバーを操作することにより、ロックを解除してアームレストの着脱および上下左右の回動を行なうものであるが、機構が複雑で既存の車椅子等に取付けることができず、汎用性に欠けるという課題を有していた。また、アームレストの左右の回動は車椅子の側部からの乗り降りのためであり、回動の範囲が車椅子の外側に限定されるため、使用者の腕を体の正面で支持することはできず、片麻痺の患者の腕を安定して保持する用途には不向きであるという課題を有していた。
（４）（特許文献１）乃至（特許文献３）のアームレストは、いずれも寸法が固定されているため、使用者の体格に柔軟に対応することができず、汎用性に欠けるという課題を有していた。
【０００４】
本発明は上記従来の課題を解決するもので、簡単な構成で既存の車椅子を初めとする各種椅子に容易に装着することができ汎用性に優れ、片麻痺等の疾病のために自力で上肢を保持することが困難な患者の上肢を安定に保持、固定することができ信頼性に優れ、使用者の体格、使い方に合わせて長さや水平面内での取付角度を容易に調整することにより、楽な姿勢で使用することができ、首、肩、腕等の負担や肩関節の拘縮を軽減でき、座位姿勢の改善に有効な汎用性、機能性に優れる着脱式肘掛を提供することを目的とする。
【課題を解決するための手段】
【０００５】
上記課題を解決するために本発明の着脱式肘掛は、以下の構成を有している。
本発明の請求項１に記載の着脱式肘掛は、既存の椅子の肘掛又は本体フレームに着脱自在に配設される固定部と、前記固定部に配設された回動軸と、前記回動軸に挿通固定され前記固定部に対し水平面内で回動するアームレスト部と、を備えている構成を有している。
この構成により、以下のような作用を有する。
（１）固定部を有するので、別に固定手段を用意する必要や特別な工具等を使用する必要がなく、既存の椅子の肘掛又は本体フレームに容易に着脱することができる。
（２）アームレスト部が固定部に配設された回動軸に挿通固定されていることにより、アームレスト部を固定部に対し水平面内で回動させることができるので、任意の角度でアームレスト部により使用者の上肢を支持することができ、楽な姿勢で安定に上肢を固定することができる。
（３）固定部に配設された回動軸により、アームレスト部を水平面内で回動させることができるので、椅子に座っている状態では体の正面など任意の角度で上肢を支持することができると共に、立ち上がったり座ったりする時には体の側部で上肢を支持することができ、使用性に優れる。
【０００６】
ここで、固定部としては既存の椅子の肘掛又は本体フレームを両側から挟んで固定するものが好ましい。特に肘掛又は本体フレームの上面及び両側面を覆うように略コ字型に形成されたガイドレールを配設し、ガイドレールの一方の側面から肘掛又は本体フレームの側面に固定板を押し当てるようにねじ止めするものは、固定板とガイドレールの他方の側面との間で肘掛又は本体フレームの両側を挟む際に、面接触させることができ、強固に固定できるので好適に用いられる。また、ガイドレールの幅や高さを肘掛又は本体フレームの幅や高さよりも大き目に形成しておくことにより、寸法の異なる肘掛又は本体フレームに確実に固定することができ、汎用性に優れる。また、アームレスト部の幅を広くすることにより、腋を安定して支持することができる。
尚、固定板をねじ止めする固定ねじは椅子の外側に配設することが好ましい。これにより、介護者等が容易に着脱式肘掛の着脱作業を行なうことができると共に、座部のある内側に固定ねじが突出することがなく、使用者の安全性に優れる。また、固定ねじの頭部には手動で固定ねじを回転させるためのノブを配設することが好ましい。工具を使用することなく容易に着脱することができるからである。
固定部に対し、アームレスト部の向きを１８０度反転させるだけで右用と左用を兼用することができ、麻痺などの障害があるいずれか一方を選択して使用できる。
【０００７】
固定部を本体フレームに取付ける場合には、既存の肘掛は付けたままでも、取外してもよい。既存の肘掛を着脱することにより、着脱式肘掛の取付高さを調整できる。また、固定部に対しアームレスト部の高さを調整する高さ調整部を備えた場合、使用者の体格に応じてアームレスト部の高さを微調整することができ汎用性に優れる。高さ調整部としては、回動軸に形成した複数の調整溝や調整孔をねじ止めやピン嵌合で固定するものや、ラッチ機構等が好適に用いられる。
回動軸はねじ止め等により機械的に固定してもよいし、摩擦力等によりある程度の負荷がかかるまでは固定角度を維持するように固定してもよい。
【０００８】
アームレスト部は幅方向の中央部を凹ませ両側が若干高くなるように形成することが好ましい。これにより、アームレスト部に載置された肘や腕を安定して支持することができ、上肢に麻痺や筋力低下等があってもずれ落ち難く、信頼性に優れる。
アームレスト部の表面には軟らかいクッションやレザー等を敷設することが好ましい。これにより、長時間使用しても肘や腕に痛みがなく、使用性に優れる。特に肌や衣服等に対する摩擦係数が大きい材質を使用した場合、肘や腕がずれ落ち難く、信頼性を向上できる。
尚、アームレスト部に上肢を固定するための固定バンドを配設した場合、より確実に上肢を保持することができる。固定バンドはバックルや面ファスナー等の固定手段により、容易に着脱することができる。
【０００９】
請求項２に記載の発明は、請求項１に記載の着脱式肘掛であって、前記アームレスト部の先端側に摺動自在に配設された伸縮部と、前記伸縮部に配設された摺動支持部と、を備えている構成を有している。
この構成により、請求項１の作用に加え、以下のような作用を有する。
（１）アームレスト部の先端側に摺動自在に配設された伸縮部に摺動支持部が配設されているので、使用者の体格や姿勢に応じて摺動支持部の位置を変更することができ、着脱式肘掛の全長を調整して腕や肘を確実に支持することができる。
ここで、伸縮部は長手方向の一端側がアームレスト部に嵌装され伸縮部全体が摺動するようにしてもよいし、一端がアームレスト部に固定され他端（摺動支持部）側が伸縮（摺動）するようにしてもよい。伸縮部をねじ止めやラッチ機構等により所望の長さに固定できるようにした場合、摺動支持部を確実に位置決め固定することができ、上肢の保持安定性を向上させることができる。
【００１０】
請求項３に記載の発明は、請求項１又は２に記載の着脱式肘掛であって、前記アームレスト部及び／又は前記摺動支持部に形成又は配設され前記アームレスト部の回動位置及び／又は前記摺動支持部の伸縮位置を調整するための操作用把持部を備えている構成を有している。
この構成により、請求項１又は２の作用に加え、以下のような作用を有する。
（１）アームレスト部及び／又は摺動支持部に操作用把持部が形成又は配設されているので、操作用把持部を把持して容易にアームレスト部の回動位置及び／又は摺動支持部の伸縮位置を調整することができ、操作性に優れる。
ここで、操作用把持部はアームレスト部及び／又は摺動支持部の先端や上面、側面に配設した環状部材や棒状部材を把持するようにしてもよいし、指の形に合わせて形成した凹部を掌で握るようにしてもよい。また、摺動支持部を円柱状等の握り易い形状に形成するか、摺動支持部の先端裏面側に係止凹部を形成し指の先を引掛けて握るようにすることもできる。
【発明の効果】
【００１１】
以上のように、本発明の着脱式肘掛によれば、以下のような有利な効果が得られる。
請求項１に記載の発明によれば、以下のような効果を有する。
（１）固定部を有するので、別に固定手段を用意する必要や特別な工具等を使用する必要がなく、既存の椅子の肘掛又は本体フレームに容易に着脱することができる装着性に優れた着脱式肘掛を提供することができる。
（２）アームレスト部が固定部に配設された回動軸に挿通固定されていることにより、アームレスト部を固定部に対し水平面内で回動させることができるので、任意の角度でアームレスト部により使用者の上肢を支持することができ、楽な姿勢で安定に上肢を固定することができる信頼性、機能性に優れた着脱式肘掛を提供することができる。
（３）固定部に配設された回動軸により、アームレスト部を水平面内で回動させることができるので、椅子に座っている状態では体の正面など任意の角度で上肢を支持することができると共に、立ち上がったり座ったりする時には体の側部で上肢を支持することができる使用性、汎用性に優れた着脱式肘掛を提供することができる。
【００１２】
請求項２に記載の発明によれば、請求項１の効果に加え、以下のような効果を有する。
（１）アームレスト部の先端側に摺動自在に配設された伸縮部に摺動支持部が配設されているので、使用者の体格や姿勢に応じて摺動支持部の位置を変更することができ、着脱式肘掛の全長を調整して腕や肘を確実に支持することができる安定性、汎用性に優れた着脱式肘掛を提供することができる。
【００１３】
請求項３に記載の発明によれば、請求項１の効果に加え、以下のような効果を有する。
（１）アームレスト部及び／又は摺動支持部に操作用把持部が形成又は配設されているので、操作用把持部を把持して容易にアームレスト部の回動位置及び／又は摺動支持部の伸縮位置を調整することができる操作性、機能性に優れた着脱式肘掛を提供することができる。
【発明を実施するための最良の形態】
【００１４】
（実施の形態１）
以下、本発明の実施の形態１における着脱式肘掛について、以下図面を参照しながら説明する。
図１（ａ）は本発明の実施の形態１における着脱式肘掛を示す斜視図であり、図１（ｂ）は本発明の実施の形態１における着脱式肘掛を示す背面図であり、図２（ａ）は本発明の実施の形態１における着脱式肘掛の伸張状態を示す側面図であり、図２（ｂ）は本発明の実施の形態１における着脱式肘掛の伸張状態を示す裏面側斜視図である。
図１及び図２中、１は本発明の実施の形態１における着脱式肘掛、２は既存の車椅子を初めとする各種椅子の肘掛又は本体フレームに着脱式肘掛１を着脱自在に固定する固定部、３は肘掛又は本体フレームの上面及び両側面を覆うように略コ字型に形成されたガイドレール、３ａはガイドレール３の内面に貼着されたゴム製等の弾性体で形成された緩衝材、４はガイドレール３の一方の側面から肘掛又は本体フレームの側面に当接される固定板、４ａは固定板４の側面に貼着されたゴム製等の弾性体で形成された緩衝材、５は頭部に手廻し用のノブ５ａが配設され固定板４をガイドレール３の幅方向に摺動固定する固定ねじ、６は固定部２のガイドレール３に立設された回動軸、７は上面に凹条に形成された支持凹部７ａにより使用者の腕や肘を支持する着脱式肘掛１のアームレスト部、７ｂはアームレスト部７の底部に配設され回動軸６に回動自在に挿通されたアームレスト部７の案内部、７ｃはアームレスト部７の底部に配設され二本の伸縮部８、８が摺動自在に嵌装された伸縮固定部、８ａは二本の伸縮部８、８の間に配設され伸縮部８、８の回動を防止する伸縮案内部、９は伸縮部８、８の先端に配設され主に使用者の掌を支持する摺動支持部、９ａは摺動支持部９の上面に凹条に形成された補助凹部である。
尚、本発明の実施の形態１における着脱式肘掛１は左用であるが、固定部２を１８０度反転させるだけで右用として使用できる。
【００１５】
固定部２に立設した回動軸６にアームレスト部７の案内部７ｂを挿通することにより、固定部２に対しアームレスト部７を水平面内で回動可能にしている。
ガイドレール３の内面や固定板４の側面に緩衝材３ａ、４ａを貼着することにより、肘掛又は本体フレームを両側から挟んだ際に、肘掛又は本体フレーム表面の凹凸を吸収し確実に固定できると共に、肘掛又は本体フレームを傷つけることがなく、信頼性に優れる。
また、固定板４の側面は上方に向かって拡開するように傾斜させて形成した。これにより、固定部２が肘掛又は本体フレームの上方に抜け難く、着脱式肘掛１の固定を確実にしている。
固定ねじ５の頭部には手廻し用のノブ５ａを配設した。これにより、工具等を用いることなく素手で容易に固定ねじ５を回転させることができ、固定板４をガイドレール３の幅方向に摺動させ、ガイドレール３の側部と共に肘掛又は本体フレームを挟んで固定することができる。
【００１６】
二本の伸縮部８、８が伸縮固定部７ｃに摺動自在に嵌装されているので、使用者や介助者が摺動支持部９を掴んで前後に動かすだけで容易に伸縮部８、８を摺動させることができ、摺動支持部９の位置を調整できる。このとき、二本の伸縮部８、８間に案内部７ｂが配設されているので、伸縮部８、８を摺動させる際に、伸縮部８、８がアームレスト部７に対し回動するのを防止でき、操作性、信頼性に優れる。
アームレスト部７及び摺動支持部９の上面にそれぞれ凹条の支持凹部７ａ及び補助凹部９ａを形成した。これにより、使用者の腕や肘、掌等を安定して支持することができ、信頼性を向上させている。
また、アームレスト部７及び摺動支持部９の表面には軟らかいクッションやレザー等を敷設した。これにより、長時間使用しても肘や腕に痛みがなく、使用性に優れる。特に肌や衣服等に対する摩擦係数が大きい材質を使用した場合、肘や腕がずれ落ち難く、信頼性を向上できる。
【００１７】
以上のように構成された実施の形態１における着脱式肘掛の使用方法について説明する。
図３（ａ）は本発明の実施の形態１における着脱式肘掛を車椅子に取付けた状態を示す斜視図であり、図３（ｂ）は本発明の実施の形態１における着脱式肘掛を車椅子に取付けた使用状態を示す斜視図である。
図３中、１０は本発明の実施の形態１における着脱式肘掛１が取付けられた車椅子、１０ａは車椅子１０の座部、１０ｂは車椅子１０の背もたれ部、１０ｃは車椅子１０の車輪部、１０ｄは車椅子１０の本体フレーム、１０ｅは本体フレーム１０ｄの上面に配設された車椅子１０の肘掛、１５は片麻痺患者等の車椅子１０の使用者、１５ａは使用者１５の左腕である。
【００１８】
図３（ａ）において、使用者１５の左腕の位置に合わせて着脱式肘掛１のガイドレール３を車椅子１０の左側の肘掛１０ｅ上に載置する。ノブ５ａにより固定ねじ５を締め付け、固定板４の側面を肘掛１０ｅの外側面に当接させる（図１、図２参照）。固定板４と固定板４に対向するガイドレール３の一方の側面とにより、肘掛１０ｅが両側から挟まれ、固定部２が肘掛１０ｅに固定され、着脱式肘掛１の取付けが完了する。
次に、使用者１５は図３（ａ）の状態で座部１０ａに座り、アームレスト部７の支持凹部７ａ及び摺動支持部９の補助凹部９ａ上に左腕１５ａを載置する。使用者１５の左腕１５ａの位置及び長さに応じて摺動支持部９の位置を調整する。必要に応じて図３（ｂ）に示すようにアームレスト部７を使用者１５の体の正面側に回動させ、楽な姿勢で左腕１５ａを支持する。
使用者１５が車椅子１０から立ち上がる際には、アームレスト部７を肘掛１０ｅ側に回動させることができ（図３（ａ）参照）、着脱式肘掛１が邪魔になることはない。
【００１９】
尚、本実施の形態では、固定部２を肘掛１０ｅに固定したが、本体フレーム１０ｄに固定してもよい。本体フレーム１０ｄに取付ける場合には、既存の肘掛１０ｅは付けたままでも、取外してもよい。既存の肘掛１０ｅの有無により、着脱式肘掛１の取付高さを調整できる。また、固定部２に対しアームレスト部７の高さを調整する高さ調整部を設けた場合、使用者の体格に応じてアームレスト部７の高さを微調整することができ汎用性に優れる。
また、アームレスト部７に上肢を固定するための固定バンドを配設した場合、より確実に上肢を保持することができる。固定バンドはバックルや面ファスナー等の固定手段により、容易に着脱できるものが操作性に優れ好ましい。
【００２０】
実施の形態１の着脱式肘掛は以上のように構成されているので以下の作用を有する。
（１）固定部２を有するので、別に固定手段を用意する必要や特別な工具等を使用する必要がなく、既存の車椅子１０等の肘掛１０ｅ又は本体フレーム１０ｄに容易に着脱することができる。
（２）アームレスト部７が固定部２に配設された回動軸６に挿通固定されていることにより、アームレスト部７を固定部２に対し水平面内で回動させることができるので、任意の角度でアームレスト部７により使用者１５の上肢を支持することができ、楽な姿勢で安定に上肢を固定することができる。
（３）固定部２に立設された回動軸６により、アームレスト部７を水平面内で回動させることができるので、車椅子１０に座っている状態では体の正面など任意の角度で上肢を支持することができると共に、立ち上がったり座ったりする時には体の側部で上肢を支持することができ、使用性に優れる。
（４）固定板４をねじ止めする固定ねじ５を車椅子１０の外側に配設することにより、介護者等が容易に着脱式肘掛１の着脱作業を行なうことができると共に、座部１０ａのある内側に固定ねじ５のノブ５ａが突出することがなく、使用者１５の安全性に優れる。
（５）固定ねじ５の頭部に手動で固定ねじ５を回転させるためのノブ５ａを配設することにより、工具を使用することなく容易に着脱式肘掛１を着脱することができる。
（６）固定部２に対し、アームレスト部７の向きを１８０度反転させるだけで一つの着脱式肘掛１を右用と左用に兼用することができ、麻痺などの障害があるいずれか一方を選択して使用できる。
（７）アームレスト部７及び摺動支持部９の表面に軟らかいクッションやレザー等を敷設することにより、長時間使用しても肘や腕に痛みがなく、使用性に優れる。特に肌や衣服等に対する摩擦係数が大きい材質を使用した場合、肘や腕がずれ落ち難く、信頼性を向上できる。
（８）アームレスト部７の先端側に摺動自在に配設された伸縮部８に摺動支持部９が配設されているので、使用者１５の体格や姿勢に応じて摺動支持部９の位置を変更することができ、着脱式肘掛１の全長を調整して腕や肘を確実に支持することができる。
【００２１】
（実施の形態２）
以下、本発明の実施の形態２における着脱式肘掛について、以下図面を参照しながら説明する。尚、実施の形態１と同様のものには同一の符号を付して説明を省略する。
図４は本発明の実施の形態２における着脱式肘掛の斜視図である。
本発明の実施の形態２における着脱式肘掛１ａが実施の形態１と異なるのは、アームレスト部７の側部に固定バンドを取り付けるための取付孔７ｅを有するバンド取付部７ｄが配設されている点と、着脱式肘掛１ａの摺動支持部９ｂが掌全体で握り易い略円柱状や角柱状に形成されている点である。
バンド取付部７ｄの取付孔７ｅに固定バンドを挿通して取り付けることができる。固定バンドはボタンや面ファスナー等により容易に着脱することができ、確実に使用者の上肢を固定することができ信頼性に優れる。
また、片麻痺等の障害により握力が弱っている使用者１５であっても、介助者の手を借りることなく、容易に摺動支持部９ｂを操作してアームレスト部７の回動位置及び／又は摺動支持部９ｂの伸縮位置を調整することができる。
【００２２】
実施の形態２の着脱式肘掛は以上のように構成されているので、実施の形態１の作用に加え、以下の作用を有する。
（１）バンド取付部７ｄの取付孔７ｅに固定バンドを挿通して取り付けることができ、確実に使用者の上肢を固定することができ信頼性に優れる。
（２）摺動支持部９ｂを略円柱状や角柱状に形成することにより、使用者１５が掌全体で摺動支持部９ｂを握ることができ、片麻痺等の障害により握力が弱っている場合で、介助者の手を借りることなく、容易に摺動支持部９ｂを操作することができ、アームレスト部７の回動位置及び／又は摺動支持部９ｂの伸縮位置を調整することができる。
【００２３】
（実施の形態３）
以下、本発明の実施の形態３における着脱式肘掛について、以下図面を参照しながら説明する。尚、実施の形態１及び２と同様のものには同一の符号を付して説明を省略する。
図５は本発明の実施の形態３における着脱式肘掛の側面図である。
本発明の実施の形態３における着脱式肘掛１ｂが実施の形態１及び２と異なるのは、着脱式肘掛１ｂの摺動支持部９の先端裏面側に使用者１５の指１５ｂの先を引掛ける係止凹部９ｃが形成されている点である。これにより、片麻痺等の障害により握力が弱っている使用者１５であっても、介助者の手を借りることなく、容易に摺動支持部９を操作してアームレスト部７の回動位置及び／又は摺動支持部９の伸縮位置を調整することができる。
尚、本実施の形態では、摺動支持部９の先端裏面側に使用者１５の指１５ｂの先を引掛ける係止凹部９ｃを形成したが、係止凹部９ｃを形成する代りに、アームレスト部７及び／又は摺動支持部９の先端や上面、側面に環状や棒状の操作用把持部を配設してもよい。
【００２４】
実施の形態３の着脱式肘掛は以上のように構成されているので、実施の形態１又は２の作用に加え、以下の作用を有する。
（１）摺動支持部９の先端裏面側に使用者１５の指１５ｂの先を引掛ける係止凹部９ｃが形成されていることにより、片麻痺等の障害により握力が弱っている使用者１５であっても、介助者の手を借りることなく、容易に摺動支持部９を操作してアームレスト部７の回動位置及び／又は摺動支持部９の伸縮位置を調整することができる。
【産業上の利用可能性】
【００２５】
本発明は、簡単な構成で既存の車椅子を初めとする各種椅子に容易に装着することができ汎用性に優れ、片麻痺等の疾病のために自力で上肢を保持することが困難な患者の上肢を安定に保持、固定することができ信頼性に優れ、使用者の体格、使い方に合わせて長さや水平面内での取付角度を容易に調整することにより、楽な姿勢で使用することができ、首、肩、腕等の負担や肩関節の拘縮を軽減でき、座位姿勢の改善に有効な汎用性、機能性に優れる着脱式肘掛を提供することができ、特に片麻痺患者の移動手段として多用される車椅子に着脱して好適に使用することができる。
【図面の簡単な説明】
【００２６】
【図１】（ａ）本発明の実施の形態１における着脱式肘掛を示す斜視図    （ｂ）本発明の実施の形態１における着脱式肘掛を示す背面図
【図２】（ａ）本発明の実施の形態１における着脱式肘掛の伸張状態を示す側面図    （ｂ）本発明の実施の形態１における着脱式肘掛の伸張状態を示す裏面側斜視図
【図３】（ａ）本発明の実施の形態１における着脱式肘掛を車椅子に取付けた状態を示す斜視図    （ｂ）本発明の実施の形態１における着脱式肘掛を車椅子に取付けた使用状態を示す斜視図
【図４】本発明の実施の形態２における着脱式肘掛の斜視図
【図５】本発明の実施の形態３における着脱式肘掛の側面図
【符号の説明】
【００２７】
１    本発明の実施の形態１における着脱式肘掛
１ａ    本発明の実施の形態２における着脱式肘掛
１ｂ    本発明の実施の形態３における着脱式肘掛
２    固定部
３    ガイドレール
３ａ    緩衝材
４    固定板
４ａ    緩衝材
５    固定ねじ
５ａ    ノブ
６    回動軸
７    アームレスト部
７ａ    支持凹部
７ｂ    案内部
７ｃ    伸縮固定部
７ｄ    バンド取付部
７ｅ    取付孔
８    伸縮部
９、９ｂ    摺動支持部
９ａ    補助凹部
９ｃ  係止凹部
１０    車椅子
１０ａ    座部
１０ｂ    背もたれ部
１０ｃ    車輪部
１０ｄ    本体フレーム
１０ｅ    肘掛
１５    使用者
１５ａ    左腕
１５ｂ    指
【図１】
2006101936.tif 000003
【図２】
2006101936.tif 000004
【図３】
2006101936.tif 000005
【図４】
2006101936.tif 000006
【図５】
2006101936.tif 000007